(57)【要約】  本発明の実施例は、マルチレベル分散型アンテナシステムに適用される信号処理方法を開示し、前記マルチレベル分散型アンテナシステムは、１つのベースバンドプールと少なくとも１つのリモートラジオユニットを含み、前記少なくとも１つのリモートラジオユニットは、１つのレベルに少なくとも区画され、前記方法は、第１のリモートラジオユニットが予め設定されたマージポリシーに従って、受信された上り信号に対して信号処理を行い、第１の信号を取得し、第１のリモートラジオユニットが少なくとも１つのレベルのいずれか１つのレベルのリモートラジオユニットであるステップと、第１のリモートラジオユニットが第１の信号をベースバンドプールにアップロードするステップとを含む。
2021502778.tif 000002
【特許請求の範囲】
【請求項１】
マルチレベル分散型アンテナシステムに適用される信号処理方法であって、前記マルチレベル分散型アンテナシステムは、１つのベースバンドプールと少なくとも１つのリモートラジオユニットとを含み、前記少なくとも１つのリモートラジオユニットは少なくとも１つのレベルに区画され、前記方法は、
第１のリモートラジオユニットが予め設定されたマージポリシーに従って、受信された上り信号に対してマージ処理を行い、第１の信号を取得し、前記第１のリモートラジオユニットが前記少なくとも１つのレベルのいずれか１つのレベルのリモートラジオユニットであるステップと、
前記第１のリモートラジオユニットが前記第１の信号を前記ベースバンドプールにアップロードするステップと、を含む、信号処理方法。
【請求項２】
前記第１の信号を取得した後に、
前記第１のリモートラジオユニットが予め設定された空間分割性能評価ポリシーに従って、前記上り信号に対して空間分割性能評価を行い、空間分割性能評価情報を取得するステップと、
前記第１のリモートラジオユニットが前記空間分割性能評価情報を前記ベースバンドプールにアップロードするステップと、をさらに含む、請求項１に記載の信号処理方法。
【請求項３】
前記第１のリモートラジオユニットが前記少なくとも１つのレベルにおける最低のレベルではない場合に、
前記第１のリモートラジオユニットが予め設定された重み付けポリシーに従って、受信された下り信号に対して重み付け処理を行い、第２の信号を取得するステップと、
前記第１のリモートラジオユニットが前記第２の信号を第２のリモートラジオユニットに下り送信し、前記第２のリモートラジオユニットは前記第１のリモートラジオユニットが直接接続する次のレベルの他のリモートラジオユニットであるステップと、をさらに含む、請求項１に記載の信号処理方法。
【請求項４】
前記第１のリモートラジオユニットが予め設定されたマージポリシーに従って、受信された上り信号に対してマージ処理を行い、第１の信号を取得することは、
前記第１のリモートラジオユニットが予め設定された干渉判定様式により、前記上り信号の間の干渉値を判定することと、
前記第１のリモートラジオユニットが前記上り信号の間の干渉値により、上り重み値算出様式を確定することと、
前記第１のリモートラジオユニットが前記上り重み値算出様式に従って、マージ重み値を算出することと、
前記第１のリモートラジオユニットが前記マージ重み値により前記上り信号に対してマージを行い、前記第１の信号を取得することと、を含む、請求項１に記載の信号処理方法。
【請求項５】
前記第１のリモートラジオユニットが予め設定された重み付けポリシーに従って、受信された下り信号に対して重み付け処理を行い、第２の信号を取得することは、
前記第１のリモートラジオユニットが予め設定された干渉判定様式により、前記下り信号の間の干渉値を判定することと、
前記第１のリモートラジオユニットが前記下り信号の間の干渉値により、下り重み値算出様式を確定することと、
前記第１のリモートラジオユニットが前記下り重み値算出様式に従って、重み付け値を算出することと、
前記第１のリモートラジオユニットが前記重み付け値により、前記下り信号に対して重み付けを行い、前記第２の信号を取得することと、を含む、請求項３に記載の信号処理方法。
【請求項６】
前記第１のリモートラジオユニットが前記上り信号の間の干渉値により、上り重み値算出様式を確定することは、
前記第１のリモートラジオユニットが、前記上り信号の間の干渉値が予め設定された干渉閾値以上であることを確定することに応答して、第１の重み値算出様式を前記上り重み値算出様式に確定することと、
前記第１のリモートラジオユニットが、前記上り信号の間の干渉値が前記予め設定された干渉閾値よりも小さいことを確定することに応答して、第２の重み値算出様式を前記上り重み値算出様式に確定することと、を含む、請求項４に記載の信号処理方法。
【請求項７】
前記第１のリモートラジオユニットが前記下り信号の間の干渉値により、下り重み値算出様式を確定することは、
前記第１のリモートラジオユニットが、前記下り信号の間の干渉値が予め設定された干渉閾値以上であることを確定することに応答して、第３の重み値算出様式を前記下り重み値算出様式に確定することと、
前記下り信号の間の干渉値が前記予め設定された干渉閾値よりも小さいことを確定することに応答して、第４の重み値算出様式を前記下り重み値算出様式に確定することと、を含む、請求項５に記載の信号処理方法。
【請求項８】
１つのベースバンドプールと少なくとも１つの第１のリモートラジオユニットとを含むマルチレベル分散型アンテナシステムであって、少なくとも１つのリモートラジオユニットは少なくとも１つのレベルに区画され、
前記第１のリモートラジオユニットは、予め設定されたマージポリシーに従って、受信された上り信号に対してマージ処理を行い、第１の信号を取得し、前記第１の信号を前記ベースバンドプールにアップロードするように構成され、前記第１のリモートラジオユニットが前記少なくとも１つのレベルのいずれか１つのレベルのリモートラジオユニットであり、
前記ベースバンドプールは、前記第１の信号を受信するように構成される、マルチレベル分散型アンテナシステム。
【請求項９】
前記第１のリモートラジオユニットは、さらに、予め設定された空間分割性能評価ポリシーに従って、前記上り信号に対して空間分割性能評価を行い、空間分割性能評価情報を取得し、前記空間分割性能評価情報を前記ベースバンドプールにアップロードするように構成され、
前記ベースバンドプールは、さらに、前記空間分割性能評価情報を受信するように構成される、請求項８に記載のマルチレベル分散型アンテナシステム。
【請求項１０】
前記第１のリモートラジオユニットが前記少なくとも１つのレベルにおける最低のレベルではない場合に、前記システムは、第２のリモートラジオユニットをさらに含み、
前記第２のリモートラジオユニットは、前記第１のリモートラジオユニットが直接接続する次のレベルのリモートラジオユニットであり、
前記第１のリモートラジオユニットは、さらに、予め設定された重み付けポリシーに従って、受信された下り信号に対して重み付け処理を行い、第２の信号を取得し、前記第２の信号を前記第２のリモートラジオユニットに下り送信するように構成され、
前記第２のリモートラジオユニットは、前記第２の信号を受信するように構成される、請求項８に記載のマルチレベル分散型アンテナシステム。
【請求項１１】
プロセッサと、メモリと、通信バスとを含むリモートラジオユニットであって、
前記通信バスは、前記プロセッサと前記メモリの間の接続通信を実現するように構成され、
前記プロセッサは、請求項１〜７のいずれか一項に記載の信号処理方法を実現するために前記メモリに記憶された信号処理プログラムを実現するように構成される、リモートラジオユニット。
【請求項１２】
少なくとも１つのプログラムが記憶されるコンピュータ読み取り可能な記録媒体であって、前記少なくとも１つのプログラムは、請求項１〜７のいずれか一項に記載の信号処理方法を実現するために、少なくとも１つのプロセッサにより実行されることができる、コンピュータ読み取り可能な記録媒体。
【発明の詳細な説明】
【技術分野】
【０００１】
本発明は、２０１８年０３月０７日中国特許庁に出願された、出願番号２０１８１０１８７８８２.５の中国特許出願の優先権を主張し、当該出願のすべての内容は参照により本発明に組み込まれる。
【０００２】
本発明は、無線通信技術分野に関し、例えば信号処理方法、マルチレベル分散型アンテナシステム及び記録媒体に関する。
【背景技術】
【０００３】
現在、分散型基地局は、一般的にベースバンド処理ユニット（Ｂｕｉｌｄｉｎｇ  Ｂａｓｅ  ｂａｎｄ  Ｕｎｉｔ、ＢＢＵ）とリモートラジオユニット（Ｒａｄｉｏ  Ｒｅｍｏｔｅ  Ｕｎｉｔ、ＲＲＵ）を採用してアーキテクチャーを行う。ただし、ＢＢＵとＲＲＵの間は光ファイバ接続を採用し、ＢＢＵはベースバンド処理を担当し、ＲＲＵは中間無線周波数処理を担当し、光ファイバはベースバンド時間領域信号を伝送することを担当する。
【０００４】
関連技術には、１つのＢＢＵと１つのＲＲＵは１つのセルに対しサービスを行い、セルとセルの間の協働が少ない。アレイアンテナの出現と伴い、ＲＲＵにより処理する必要がある無線周波数チャンネルがますます多くなり、光ファイバにより伝送する必要がある信号量もますます大きくなる。そして、セルエッジユーザの体験感を向上するために、ユーザを中心とする概念の提出に伴い、一般的に複数のＢＢＵから構成されたベースバンドプールを使用してベースバンド信号を集中処理する。つまり、ＲＲＵは多量な信号をベースバンドプールに伝送する必要があり、ベースバンドプールにより多様な処理を実行する。ただし、関連する分散型アンテナシステムの性能に限界があり、数量莫大なベースバンドと中無線周波数を処理・伝送するニーズを満たすことができない。
【発明の概要】
【発明が解決しようとする課題】
【０００５】
以下は、本明細書に詳細に説明される主題の概要である。本概要は特許請求の範囲を限定するものではない。
【０００６】
本発明に係る実施例は、信号処理方法、マルチレベル分散型アンテナシステム及び記録媒体を提供することが望ましく、アーキテクチャーされたマルチレベル分散型アンテナシステムに基づいて信号処理を行い、信号伝送量を減少し、大規模のネットワークへの要求を満たすことができる。
【課題を解決するための手段】
【０００７】
本発明の実施例は、信号処理方法を提供し、マルチレベル分散型アンテナシステムに適応され、前記マルチレベル分散型アンテナシステムは、１つのベースバンドプールと少なくとも１つのリモートラジオユニットを含み、ただし、前記少なくとも１つのリモートラジオユニットは少なくとも１つのレベルに区画され、前記方法は、第１のリモートラジオユニットが予め設定されたマージポリシーに従って、受信された上り信号に対してマージ(Ｍｅｒｇｅ)処理を行い、第１の信号を取得し、ただし、前記第１のリモートラジオユニットが前記少なくとも１つのレベルのいずれか１つのレベルのリモートラジオユニットであるステップと、前記第１のリモートラジオユニットが前記第１の信号を前記ベースバンドプールにアップロードするステップとを含む。
【０００８】
本発明の実施例は、マルチレベル分散型アンテナシステムを提供し、前記マルチレベル分散型アンテナシステムは、１つのベースバンドプールと少なくとも１つの第１のリモートラジオユニットを含み、ただし、前記少なくとも１つのリモートラジオユニットは少なくとも１つのレベルに区画され、前記第１のリモートラジオユニットは、予め設定された重み付けマージポリシーに従って、受信された上り信号に対してマージ処理を行い、第１の信号を取得し、前記第１の信号を前記ベースバンドプールにアップロードするように構成され、ただし、前記第１のリモートラジオユニットが前記少なくとも１つのレベルのいずれか１つのレベルのリモートラジオユニットであり、前記ベースバンドプールは、前記第１の信号を受信するように構成される。
【０００９】
本発明の実施例は、リモートラジオユニットを提供し、前記リモートラジオユニットは、プロセッサ、メモリ及び通信バスを含み、前記通信バスは、前記プロセッサと前記メモリの間の接続通信を実現するように構成され、前記プロセッサは、上記信号処理方法を実現するために前記メモリに記憶された信号処理プログラムを実現するように構成される。
【００１０】
本発明の実施例は、コンピュータ読み取り可能な記録媒体をさらに提供し、前記コンピュータ読み取り可能な記録媒体は少なくとも１つのプログラムを記憶し、前記少なくとも１つのプログラムは、上記信号処理方法を実現するために、少なくとも１つのプロセッサにより実行されることができる。
【００１１】
図面及び詳細な説明を読んで理解した後に、他の態様を明らかにすることができる。
【図面の簡単な説明】
【００１２】
【図１】図１は本発明の実施例に係る例示的なマルチレベル分散型アンテナシステムの模式図である。
【図２】図２は本発明の実施例に係る信号処理方法の第１フロー模式図である。
【図３】図３は本発明の実施例に係る上り信号に対しマージ処理を行うフロー模式図である。
【図４】図４は本発明の実施例に係る例示的な上り信号マージの模式図である。
【図５】図５は本発明の実施例に係る例示的な信号伝送の模式図である。
【図６】図６は本発明の実施例に係る信号処理方法の第２フロー模式図である。
【図７】図７は本発明の実施例に係る下り信号に対し重み付け処理を行うフロー模式図である。
【図８】図８は本発明の実施例に係る例示的な重み値下り送信の模式図である。
【図９】図９は本発明の実施例に係るマルチレベル分散型アンテナシステムの構造模式図である。
【図１０】図１０は本発明の実施例に係る第１のリモートラジオユニットの構造模式図である。
【発明を実施するための形態】
【００１３】
以下に、本発明の実施例における図面を参考しながら本発明の実施例における技術案を明らかに完全的に説明する。
【００１４】
本発明の実施例において、マルチレベル分散型アンテナシステムを提供する。マルチレベル分散型アンテナシステムは、１つのベースバンドプールと少なくとも１つのリモートラジオユニットを含み、ただし、リモートラジオユニットが少なくとも１つのレベルに区画することができる。具体的なリモートラジオユニットの数量及びリモートラジオユニットレベルの区画は、本発明の実施例に限定されない。
【００１５】
なお、本発明の実施例において、マルチレベル分散型アンテナシステムの各リモートラジオユニットが接続する次のレベルのリモートラジオユニットの数量は柔軟に変更可能であり、具体的なリモートラジオユニットの接続様式は、本発明の実施例に限定されない。
【００１６】
図１は本発明の実施例に係る例示的なマルチレベル分散型アンテナシステムの模式図である。図１に示すように、当該マルチレベル分散型アンテナシステムは、１つのベースバンドプール、２つの第１レベルのリモートラジオユニットおよび３つの第２レベルのリモートラジオユニットを含む。ただし、２つの第１レベルのリモートラジオユニットはそれぞれベースバンドプールに直接接続され、１つの第２レベルのリモートラジオユニットは１つの第１レベルのリモートラジオユニットに直接接続され、２つの第２レベルのリモートラジオユニットはそれぞれ他の１つの第１レベルのリモートラジオユニットに直接接続される。
【００１７】
なお、本発明の実施例において、各レベルのリモートラジオユニットにおいて、いずれも受信された上り信号又は下り信号に対して信号処理のプロセスを実行し、信号処理された信号を前のレベルのリモートラジオユニットに伝送し、最終にベースバンドプールにアップロードするか、或いは信号処理された信号を次のレベルのリモートラジオユニットに下り送信することができる。ただし、上り信号について、リモートラジオユニットは、受信された上り信号に従って空間分割性能評価を行い、空間分割性能評価情報を取得し、前のレベルのリモートラジオユニットに一括して伝送し、最終にベースバンドプールにアップロードし、ベースバンドプールは、処理された上り信号と空間分割性能評価情報に従って対応する操作を実行する必要がある。下り信号について、次のレベルのリモートラジオユニットへ処理された下り信号を絶えずに伝送することにより、最終にユーザにフィードバックし、ユーザにサービスを提供する。
【００１８】
本発明は上記マルチレベル分散型アンテナシステムに基づいて、各リモートラジオユニットレベルにおける信号処理方法を提供する。
【００１９】
実施例１
本発明の実施例は、マルチレベル分散型アンテナシステムに適用される信号処理方法を提供する。図２は本発明の実施例に係る信号処理方法の第１フロー模式図であり、図２に示すように、当該方法はステップＳ２１０及びステップＳ２２０を含むことができる。
【００２０】
ステップＳ２１０において、第１のリモートラジオユニットは予め設定されたマージポリシーに従って、受信された上り信号に対してマージ処理を行い、第１の信号を取得し、ただし、第１のリモートラジオユニットは少なくとも１つのレベルのいずれか１つのレベルのリモートラジオユニットである。
【００２１】
本発明の一実施例において、第１のリモートラジオユニットは上り信号を受信し、さらに上り信号に対してマージ処理を行うことができ、マージ処理された上り信号が第１の信号である。
【００２２】
なお、本発明の実施例において、第１のリモートラジオユニットが受信した上り信号は複数であってもよく、且つ上り信号は、第１のリモートラジオユニットに直接接続された次のレベルのリモートラジオユニットがアップロードすることにより取得されてもよいし、第１のリモートラジオユニットに直接接続された同一レベルのリモートラジオユニットが伝送することにより取得されてもよく、具体的な上り信号は本発明の実施例に限定されない。
【００２３】
本発明の実施例において、図３は本発明の実施例に係る上り信号に対しマージ処理を行うフロー模式図である。図３に示すように、ステップＳ３１０からステップＳ３４０を含む。
【００２４】
ステップＳ３１０において、第１のリモートラジオユニットは予め設定された干渉判定様式により、上り信号の間の干渉値を判定する。
【００２５】
なお、本発明の実施例において、予め設定された干渉判定様式は第１のリモートラジオユニットに予め自主的に設定されてもよく、具体的な予め設定された干渉判定様式は本発明の実施例に限定されない。
【００２６】
予め設定された干渉判定様式は、上り信号の信号特性、例えばノイズなどの情報を検出することで、上り信号の間の干渉値を測定してもよいことを理解できる。
【００２７】
第１の信号の間の干渉は実際に上り信号の間が発生する影響であることを理解できる。例示として、第１のリモートラジオユニットはユーザ１から送信した信号及びユーザ２から送信した信号を受信し、すなわち第１のリモートラジオユニットが２つの上り信号を受信することを確定することに応答して、上り信号の間に干渉が存在し、第１のリモートラジオユニットはユーザ１から送信した信号又はユーザ２から送信した信号を受信し、すなわち第１のリモートラジオユニットが１つの上り信号を受信することを確定することに応答して、上り信号の間に干渉が存在しない。
【００２８】
ステップＳ３２０において、第１のリモートラジオユニットは上り信号の間の干渉値により、上り重み値算出様式を確定する。
【００２９】
本発明の一実施例において、第１のリモートラジオユニットは上り信号の間の干渉値により、上り重み値算出様式を確定する。
【００３０】
本発明の一実施例において、第１のリモートラジオユニットは上り信号の間の干渉値により、上り重み値算出様式を確定することは、第１のリモートラジオユニットが、上り信号の間の干渉値が予め設定された干渉閾値以上であることを確定することに応答して、第１の重み値算出様式を上り重み値算出様式に確定するステップと、第１のリモートラジオユニットが、上り信号の間の干渉値が予め設定された干渉閾値よりも小さいことを確定することに応答して、第２の重み値算出様式を上り重み値算出様式に確定するステップとを含む。
【００３１】
なお、本発明の一実施例において、第１のリモートラジオユニットに予め設定された干渉閾値が記憶され、具体的な予め設定された干渉閾値は本発明の実施例に限定されない。
【００３２】
なお、本発明の一実施例において、第１のリモートラジオユニットに上り信号に適用する重み値算出様式が予め設定されており、上り信号に適用する具体的な重み値算出様式は本発明の実施例に限定されない。
【００３３】
本発明の一実施例において、第１のリモートラジオユニットに予め設定された上り信号に適用される重み値算出様式は、最大比合成（Ｍａｘｉｍａｌ  Ｒａｔｉｏ  Ｃｏｍｂｉｎｉｎｇ：ＭＲＣ）、最小平均二乗誤差（Ｍｉｎｉｍｕｍ  Ｍｅａｎ  Ｓｑｕａｒｅｄ  Ｅｒｒｏｒ：ＭＭＳＥ）を含み、予め設定された干渉閾値をＡとする。上り信号の間の干渉値がＡ以上であることを確定することに応答して、最小平均二乗誤差を上り重み値算出方法に確定し、すなわち最小平均二乗誤差は第１の重み値算出様式であり、上り信号の間の干渉が大きい場合に適用する。上り信号の間の干渉値がＡよりも小さいことを確定することに応答して、最大比合成を上り重み値算出方法に確定し、すなわち最大比合成は第２の重み値算出様式であり、上り信号の間の干渉が小さい場合に適用する。
【００３４】
関連技術において、第１のリモートラジオユニットが受信した上り信号のマージ処理はベースバンドプールにより実行される必要があるが、本発明の実施例において、第１のリモートラジオユニットは、受信された上り信号に対するマージ処理を実現することができ、ベースバンドプールに集中して処理する必要がないことを理解できる。
【００３５】
ステップＳ３３０において、第１のリモートラジオユニットは上り重み値算出様式に従って、マージ重み値を算出する。
【００３６】
本発明の実施例において、第１のリモートラジオユニットは、上り重み値算出様式を確定した後、上り重み値算出様式に従って、マージ重み値を算出することができる。
【００３７】
なお、本発明の実施例において、マージ重み値は上り信号をマージすることに用いられる。
【００３８】
本発明の実施例において、第１のリモートラジオユニットは、確定された上り重み値算出様式が第１の重み値算出様式であることに応答して、第１の重み値算出様式に従ってマージ重み値を算出する。第１のリモートラジオユニットは、確定された上り重み値算出様式が第２の重み値算出様式であることに応答して、第２の重み値算出様式に従ってマージ重み値を算出する。
【００３９】
本発明の一実施例において、第１のリモートラジオユニットは、確定された上り重み値算出様式が最小平均二乗誤差であることに応答して、最小平均二乗誤差に従ってマージ重み値を算出する。第１のリモートラジオユニットは、確定された上り重み値算出様式が最大比合成であることに応答して、最大比合成に従ってマージ重み値を算出する。ただし、最小平均二乗誤差及び最大比合成はいずれも関連技術であり、ここで説明を省略する。
【００４０】
ステップＳ３４０において、第１のリモートラジオユニットはマージ重み値により、上り信号に対してマージを行い、第１の信号を取得する。
【００４１】
本発明の一実施例において、第１のリモートラジオユニットは、マージ重み値を確定した後、マージ重み値により上り信号をマージすることで、第１の信号を取得する。
【００４２】
本発明の実施例において、第１のリモートラジオユニットが上り信号を受信すると、第１のリモートラジオユニットは、上り信号に対してマージ処理を実行し、第１の信号を取得することを理解できる。第１の信号は上り信号に比べて、信号空間の次元が変更され、データ量が低減される。そこで、第１のリモートラジオユニットは、上り信号を直接アップロードするよりも、第１の信号をアップロードしたほうが上り伝送のデータ量を大幅に減少させる。
【００４３】
図４は本発明の実施例に係る例示的な上り信号マージの模式図である。図４に示すように、第１のリモートラジオユニットは４つのＲＦアンテナにより、ユーザ１から送信した信号及びユーザ２から送信した信号を含む上り信号を受信する。つまり、第１のリモートラジオユニットは、実際に４つのＲＦアンテナにより４ストリームデータを受信し、当該４ストリームデータはユーザ１から送信した信号及びユーザ２から送信した信号を構成することができる。したがって、第１のリモートラジオユニットは４ストリームデータに対してマージを行い、２ストリームデータを取得することができ、すなわち後続の上り伝送のデータ量を減少させることに相当する。
【００４４】
ステップＳ２２０において、第１のリモートラジオユニットは第１の信号をベースバンドプールにアップロードする。
【００４５】
本発明の実施例において、第１のリモートラジオユニットは、上り信号に対してマージ処理を行い、第１の信号を取得した後、第１の信号をベースバンドプールにアップロードすることができ、ベースバンドプールは第１の信号に対して予め設定された物理レイヤサブレイヤ処理を実行することができる。
【００４６】
本発明の実施例において、第１のリモートラジオユニットは、前記第１のリモートラジオユニットがベースバンドプールに直接接続することを確定することに応答して、第１の信号をベースバンドプールに直接アップロードすることができ、第１のリモートラジオユニットは、前記第１のリモートラジオユニットがベースバンドプールに直接接続しないことを確定することに応答して、第１の信号をまず第１のリモートラジオユニット自体に直接接続された前のレベルのリモートラジオユニットにアップロードし、絶えずに上り伝送することにより、最終に第１の信号をベースバンドプールにアップロードすることができることを理解できる。
【００４７】
本発明の実施例において、第１の信号は、上り信号に対しマージ処理を行った後に取得した信号であり、そのデータ量が上り信号のデータ量よりも遥かに小さいので、第１のリモートラジオユニットがベースバンドプールにアップロードする必要なデータ量を減少させることを理解できる。
【００４８】
なお、本発明の実施例において、ベースバンドプールは第２の信号に対して物理レイヤサブレイヤ処理を実行することは、変復調、コーデックなどを含んでもよい。具体的な物理レイヤサブレイヤ処理は本発明の実施例に限定されない。
【００４９】
なお、本発明の実施例において、ステップＳ２１０の後に、第１のリモートラジオユニットは予め設定された空間分割性能評価ポリシーに従って、上り信号に対して空間分割性能評価を行い、空間分割性能評価情報を取得してもよい。第１のリモートラジオユニットは、空間分割性能評価情報をベースバンドプールにアップロードする。
【００５０】
本発明の実施例において、予め設定された空間分割性能評価ポリシーは、実際に上り信号の間の空間相関性を評価することである。具体的な予め設定された空間分割性能評価ポリシーは、本発明の実施例に限定されない。
【００５１】
一実施例において、予め設定された空間分割性能評価ポリシーは、信号の有無、又は空間相関性不等式により評価されてもよい。
【００５２】
本発明の一実施例において、第１のリモートラジオユニットは信号の有無により空間分割性能の評価を行う。図５は本発明の実施例に係る例示的な信号伝送模式図である。図５に示すように、ユーザ１は信号をＲＲＵ１とＲＲＵ３に送信するが、ＲＲＵ２までの距離が遠く、パス損失が大きいので、受信することができず、同様に、ユーザ２は信号をＲＲＵ２とＲＲＵ３に送信し、ＲＲＵ１が受信しない。したがって、ＲＲＵ１とＲＲＵ２には、ユーザ１から送信した信号のみ、又はユーザ２から送信した信号のみを有し、すなわちユーザ１から送信した信号とユーザ２から送信した信号の空間相関性が低く、ＲＲＵ３には、２つの信号が同時存在し、空間相関性が高い。ただし、ユーザ１から送信した信号とユーザ２から送信した信号はいずれも上り信号である。
【００５３】
一実施例において、第１のリモートラジオユニットは空間相関性不等式、すなわち不等式（１）により、空間分割性能の評価を行うことができる。不等式（１）は以下のとおりである。
【数１】
2021502778.tif 000003
【００５４】
ただし、第１のリモートラジオユニットはＮ個のＲＦアンテナ、すなわちＡｎを管理し、ｎ＝０、１、…、Ｎ−１、Ｎは１以上の自然数であり、Ｒ１，ｎはＲＦアンテナＡｎが受信した、ユーザ１から送信した信号であり、Ｒ２，ｎはＲＦアンテナＡｎが受信した、ユーザ２から送信した信号であり、ｔｈは閾値定数であり、ｔｈは０から１までの間に設定されてもよく、ｔｈ値が小さく設定されるほど、不等式（１）を満たす上り信号の間の空間相関性が低くなる。具体的なｔｈ値は本発明の実施例に限定されない。ただし、ユーザ１から送信した信号とユーザ２から送信した信号はいずれも上り信号である。つまり、不等式（１）が成立する場合、第１のリモートラジオユニットが受信した上り信号の間の空間相関性は低い。
【００５５】
なお、本発明の実施例において、第１のリモートラジオユニットが受信した信号はいずれも上り信号であり、すなわち上り信号の数量が多い可能性があるので、第１のリモートラジオユニットが予め設定された空間分割性能評価ポリシーに従って、上り信号に対して空間分割性能評価を行うことは、実際に２つずつの上り信号の間の空間相関性を評価し、最終に空間分割性能評価情報を構成することである。
【００５６】
第１のリモートラジオユニットが取得した空間分割性能評価情報は、最終にベースバンドプールにアップロードされ、他の冗長の情報をベースバンドプールにアップロードする必要がなく、すなわちアップロードのデータ量を減少させ、ベースバンドプールが多量な分析評価を行う必要もなく、直接空間分割性能評価情報により最終確定を行うことができることを理解できる。
【００５７】
本発明の実施例において、ベースバンドプールが空間分割性能評価情報を受信した後、空間分割性能評価情報により空間分割配対確定を確定してもよい。
【００５８】
関連技術において、上り信号に対し信号処理を行い、第１の信号を取得すること、及び上り信号に対して空間分割性能評価を行い、空間分割性能評価情報を取得することは、いずれもベースバンドプールに集中して完成することが必要である。本発明において、信号処理と空間分割性能評価はいずれも、第１のリモートラジオユニットにより完成することができるので、ベースバンドプールは関連情報を直接取得することができ、つまり、ベースバンドプールは確定のみを行ってもよく、このプロセスにおいて、第１のリモートラジオユニットが上り信号に対して処理を行ったので、第１のリモートラジオユニットとベースバンドプールとの間に伝送されるデータ量も減少される。
【００５９】
なお、本発明の実施例において、第１のリモートラジオユニットは、第１のリモートラジオユニットが少なくとも１つのレベルにおける最低のレベルではないことを確定することに応答して、下り信号に対して信号処理を行い、下り送信してもよい。図６は本発明の実施例に係る信号処理方法の第２フロー模式図であり、ステップＳ６１０とステップＳ６２０を含む。
【００６０】
ステップＳ６１０において、第１のリモートラジオユニットが予め設定された重み付けポリシーに従って、受信された下り信号に対して重み付け処理を行い、第２の信号を取得する。
【００６１】
本発明の実施例において、第１のリモートラジオユニットは下り信号を受信した後、さらに下り信号に対して重み付け処理を行うことができ、重み付け処理後の下り信号は第２の信号である。
【００６２】
なお、本発明の実施例において、第１のリモートラジオユニットは、第１のリモートラジオユニットが複数のレベルにおける最低のレベルであることを確定することに応答し、すなわち第１のリモートラジオユニットに接続された次のレベルのリモートラジオユニットが存在しないと、受信された下り信号をユーザ端末に直接下り送信する。
【００６３】
本発明の実施例において、図７は本発明の実施例に係る下り信号に対し重み付け処理を行うフロー模式図である。図７に示すように、ステップＳ７１０からステップＳ７４０を含む。
【００６４】
ステップＳ７１０において、第１のリモートラジオユニットは予め設定された干渉判定様式により、下り信号の間の干渉値を判定する。
【００６５】
本発明の実施例において、第１のリモートラジオユニットは、下り信号が受信したことに応答して、予め設定された干渉判定様式により下り信号の間の干渉値を判定することができる。
【００６６】
なお、本発明の実施例において、第１のリモートラジオユニットの下り信号の間の干渉値の判定と上り信号の間の干渉値の判定の方法が同じであるが、区別は判断の対象が上り信号であるか下り信号であるかのみである。ステップＳ３１０には既に、上り信号の間の干渉値をどう判定するかを説明したので、ここで説明を省略する。
【００６７】
ステップＳ７２０において、第１のリモートラジオユニットは下り信号の間の干渉値により、下り重み値算出様式を確定する。
【００６８】
本発明の実施例において、第１のリモートラジオユニットは、下り信号を受信したことに応答して、下り信号の間の干渉値により、下り重み値算出様式を確定する。
【００６９】
本発明の実施例において、第１のリモートラジオユニットが下り信号の間の干渉値により下り重み値算出様式を確定することは、第１のリモートラジオユニットが、下り信号の間の干渉が予め設定された干渉閾値以上であることを確定することに応答して、第３の重み値算出様式を下り重み値算出様式に確定することと、第１のリモートラジオユニットが、下り信号の間の干渉が予め設定された干渉閾値よりも小さいことを確定することに応答して、第４の重み値算出様式を下り重み値算出様式に確定することとを含む。
【００７０】
なお、本発明の実施例において、第１のリモートラジオユニットに予め設定された干渉閾値が記憶され、具体的な予め設定された干渉閾値は本発明の実施例に限定されない。
【００７１】
なお、本発明の実施例において、第１のリモートラジオユニットに下り信号に適用する重み値算出様式が予め設定され、具体的に下り信号に適用する重み値算出様式は本発明の実施例に限定されない。
【００７２】
例示的に、本発明の実施例において、第１のリモートラジオユニットに予め設定された下り信号に適用する重み値算出様式は、最大比送信及びゼロフォーシングであることと、予め設定された干渉閾値をＢとすることとを含む。下り信号の間の干渉値がＢ以上であることを確定することに応答して、ゼロフォーシングを下り重み値算出方法に確定し、すなわちゼロフォーシングは第３の重み値算出様式であり、下り信号の間干渉が大きい状況に適用し、下り信号の間の干渉値がＢよりも小さいのを確定することに応答して、最大比送信を下り重み値算出方法に確定し、すなわち最大比送信は第４の重み値算出様式であり、下り信号の間干渉が小さい状況に適用する。
【００７３】
ステップＳ７３０において、第１のリモートラジオユニットは下り重み値算出様式に従って重み付け値を算出する。
【００７４】
本発明の実施例において、第１のリモートラジオユニットは、下り重み値算出様式を確定した後、下り重み値算出様式に従ってマージ重み値を算出することができる。
【００７５】
なお、本発明の実施例において、重み付け値は、下り信号に対して重み付け配賦を行うことに用いられる。
【００７６】
本発明の実施例において、第１のリモートラジオユニットの確定した下り重み値算出様式が第３の重み値算出様式であることを確定することに応答して、第１のリモートラジオユニットは第３の重み値算出様式に従って重み付け値を算出する。第１のリモートラジオユニットの確定した下り重み値算出様式が第４の重み値算出様式であることを確定することに応答して、第１のリモートラジオユニットは第４の重み値算出様式に従って重み付け値を算出する。
【００７７】
一実施例において、第１のリモートラジオユニットは、下り重み値算出様式がゼロフォーシングに確定されることに応答して、ゼロフォーシングに従って重み付け値を算出する。第１のリモートラジオユニットは、下り重み値算出様式が最大比送信に確定されることに応答して、最大比送信に従って重み付け値を算出する。ただし、ゼロフォーシングと最大比送信はいずれも関連技術であり、ここで説明を省略する。
【００７８】
ステップＳ７４０において、第１のリモートラジオユニットは重み付け値により下り信号に対して重み付けを行い、第２の信号を取得する。
【００７９】
本発明の実施例において、第１のリモートラジオユニットが重み付け値を確定した後、重み付け値により下り信号に対して重み付けを行うことで、第２の信号を取得する。
【００８０】
本発明の実施例において、第１のリモートラジオユニットは、下り信号を受信したことに応答して、下り信号に対して重み付け処理を実行し、第２の信号を取得することを理解できる。第２の信号は下り信号と比べて、信号空間の次元が変更され、データ量が低減される。そこで、第１のリモートラジオユニットは、下り信号を直接下り送信するよりも、第２の信号を下り送信したほうが下り伝送のデータ量を大幅に減少させる。
【００８１】
なお、本発明の実施例において、上り重み値算出様式又は下り重み値算出様式の確定、及びマージ重み値又は重み付け値の算出は、第１のリモートラジオユニットにより実現するだけでなく、第１のリモートラジオユニットに直接接続された前のレベルのリモートラジオユニットにより実現することができる。第１のリモートラジオユニットの処理能力が不十分である場合に対して、前のレベルのリモートラジオユニットにより算出されたマージ重み値又は重み付け値を第１のリモートラジオユニットに下り送信し、さらに第１のリモートラジオユニットにより第１の信号に対してマージ又は重み付けを行う。第１のリモートラジオユニットは、ベースバンドプールに直接接続された最高レベルのリモートラジオユニットである場合に、ベースバンドプールで算出し重み値を下り送信してもよい。ただし、ベースバンドプールによる重み値の算出方法は第１のリモートラジオユニットによる重み値の算出方法と同じである。
【００８２】
図８は本発明の実施例に係る例示的な重み値下り送信の模式図である。図８に示すように、３レベルの分散型アンテナシステムにおいて、第２レベルのリモートラジオユニットは、マージ又は重み付けの重み値が第１レベルのリモートラジオユニットにより一括に算出した後に下り送信する必要がある。
【００８３】
ステップＳ６２０において、第１のリモートラジオユニットは第２の信号を第２のリモートラジオユニットに下り送信し、ただし、第２のリモートラジオユニットは第１のリモートラジオユニットが直接接続する次のレベルの他のリモートラジオユニットである。
【００８４】
本発明の実施例において、第１のリモートラジオユニットは、第２の信号を取得した後、第２の信号を第２のリモートラジオユニットに下り送信し、ただし、第２のリモートラジオユニットは第１のリモートラジオユニットが直接接続する次のレベルの他のリモートラジオユニットである。
【００８５】
本発明の実施例において、第２のリモートラジオユニットは、受信された第２の信号により更なる信号伝送を行うことを理解できる。具体的な第２のリモートラジオユニットにより実行する操作が本発明の実施例に限定されない。
【００８６】
本発明の実施例は、信号処理方法を提供し、マルチレベル分散型アンテナシステムに適用され、第１のリモートラジオユニットが予め設定されたマージポリシーに従って、受信された上り信号に対して信号処理を行い、第１の信号を取得し、ただし、第１のリモートラジオユニットは少なくとも１つのレベルのいずれか１つのレベルのリモートラジオユニットであり、第１のリモートラジオユニットは第１の信号をベースバンドプールにアップロードする。つまり、本発明の実施例の技術案において、第１のリモートラジオユニットが信号処理の関連能力を備え、受信された信号に対して信号処理及び空間分割性能評価を行うことができ、ベースバンドプールに送信する必要なデータ量を減少させ、大規模のネットワークへの要求を満たすことができる。
【００８７】
実施例２
図９は本発明の実施例に係るマルチレベル分散型アンテナシステムの構造模式図である。図９に示すように、当該マルチレベル分散型アンテナシステムは、１つのベースバンドプール９１０と、少なくとも１つの第１のリモートラジオユニット９２０とを含み、ただし、少なくとも１つのリモートラジオユニットは少なくとも１つのレベルに区画される。
【００８８】
前記第１のリモートラジオユニット９２０は、予め設定されたマージポリシーに従って、受信された上り信号に対してマージ処理を行い、第１の信号を取得し、前記第１の信号を前記ベースバンドプール９１０にアップロードするように構成され、ただし、前記第１のリモートラジオユニット９２０は少なくとも１つのレベルのいずれか１つのレベルのリモートラジオユニットである。
【００８９】
前記ベースバンドプール９１０は、前記第１の信号を受信するように構成される。
【００９０】
一実施例において、前記第１のリモートラジオユニット９２０は、予め設定された空間分割性能評価ポリシーに従って、前記上り信号に対して空間分割性能評価を行い、空間分割性能評価情報を取得し、前記空間分割性能評価情報を前記ベースバンドプール９１０にアップロードするように構成される。
【００９１】
前記ベースバンドプール９１０は、さらに、前記空間分割性能評価情報を受信するように構成される。
【００９２】
一実施例において、前記第１のリモートラジオユニットが少なくとも１つのレベルにおける最低レベルではない場合に、前記システムは、第２のリモートラジオユニット９３０をさらに含み、ただし、前記第２のリモートラジオユニット９３０は前記第１のリモートラジオユニット９２０が直接接続する次のレベルのリモートラジオユニットである。
【００９３】
前記第１のリモートラジオユニット９２０が予め設定された重み付けポリシーに従って、受信された下り信号に対して重み付け処理を行い、第２の信号を取得し、前記第２の信号を前記第２のリモートラジオユニット９３０に下り送信するように構成される。
【００９４】
前記第２のリモートラジオユニット９３０は、前記第２の信号を受信するように構成される。
【００９５】
本発明の実施例は、マルチレベル分散型アンテナシステムを提供し、第１のリモートラジオユニットが予め設定されたマージポリシーに従って、受信された上り信号に対して信号処理を行い、第１の信号を取得し、ただし、第１のリモートラジオユニットは少なくとも１つのレベルのいずれか１つのレベルのリモートラジオユニットであり、第１のリモートラジオユニットは第１の信号をベースバンドプールにアップロードする。つまり、本発明の実施例の技術案において、第１のリモートラジオユニットは信号処理の関連能力を備え、受信された信号に対して信号処理及び空間分割性能評価を行うことができ、ベースバンドプールに送信する必要なデータ量を減少させ、大規模のネットワークへの要求を満たすことができる。
【００９６】
図１０は本発明の実施例に係る第１のリモートラジオユニットの構造模式図である。図１０に示すように、前記第１のリモートラジオユニットは、プロセッサ１００１、メモリ１００２及び通信バス１００３を含む。
【００９７】
前記通信バス１００３は、前記プロセッサ１００１と前記メモリ１００２の間の接続通信を実現するように構成される。
【００９８】
前記プロセッサ１００１は、前記メモリ１００２に記憶された信号処理プログラムを実現することで、上記信号処理方法を実現するように構成される。
【００９９】
本発明の実施例は、コンピュータ読み取り可能な記録媒体をさらに提供し、前記コンピュータ読み取り可能な記録媒体に、少なくとも１つのプログラムが記憶され、前記少なくとも１つのプログラムは、少なくとも１つのプロセッサにより実行されることができることで、上記信号処理方法を実現する。コンピュータ読み取り可能な記録媒体は、揮発性メモリ（Ｖｏｌａｔｉｌｅ  ｍｅｍｏｒｙ）、例えばランダムアクセスメモリ（Ｒａｎｄｏｍ−Ａｃｃｅｓｓ  Ｍｅｍｏｒｙ、ＲＡＭ）、又は不揮発性メモリ（Ｎｏｎ−ｖｏｌａｔｉｌｅ  Ｍｅｍｏｒｙ）、例えば読み出し専用メモリ（Ｒｅａｄ−ｏｎｌｙ  Ｍｅｍｏｒｙ、ＲＯＭ）、フラッシュメモリ（Ｆｌａｓｈ  Ｍｅｍｏｒｙ）、ハードディスク（Ｈａｒｄ  Ｄｉｓｋ  Ｄｒｉｖｅ、ＨＤＤ）又はソリッドステートドライブ（Ｓｏｌｉｄ−Ｓｔａｔｅ  Ｄｒｉｖｅ、ＳＳＤ）であってもよいし、上記メモリの１つまたはいずれかの組み合わせを含む機器、例えば携帯電話、コンピュータ、タブレット機器及びパーソナルデジタルアシスタント等であってもよい。
【０１００】
当業者であれば、本発明の実施例は、方法、システム、又はコンピュータプログラム製品として提供することができることが明らかである。したがって、本発明は、ハードウェア実施例、ソフトウェア実施例、又はソフトウェアとハードウェアを組み合わせた実施例の態様を採用してもよい。また、本発明は、少なくとも１つにコンピュータ読み取り可能なプログラムコードを含むコンピュータ読み取り可能な記録媒体（磁気ディスクメモリ及び光学メモリなどを含むがこれらに限定されない）により実施されるコンピュータプログラム製品の態様を採用してもよい。
【０１０１】
本発明は、本発明の実施例による方法、装置（システム）及びコンピュータプログラム製品のフロー図及びブロック図における少なくとも１つを参照して説明することである。フロー図における各フロー、ブロック図における各ブロック、フロー図における各フロー及びブロック図における各ブロック、フロー図とフロー図におけるフローの組み合わせ、ブロック図におけるブロックの組み合わせ、及びフロー図におけるフローとブロック図におけるブロックの組み合わせは、コンピュータプログラムコマンドにより実現されることができることを理解すべきである。これらのコンピュータプログラムコマンドを共通コンピュータ、専用コンピュータ、組み込みプロセッサ又は他のプログラマブル機器のプロセッサに提供して１つの機器を生成することで、コンピュータまたは他のプログラマブル信号処理装置のプロセッサにより実行されるコマンドを、フロー図の少なくとも１つのフローに指定された機能を実現することに用いられるデバイス、ブロック図の少なくとも１つのブロックに指定された機能を実現することに用いられるデバイス、およびフロー図の少なくとも１つのフローとブロック図の少なくとも１つのブロックに指定された機能を実現することに用いられるデバイスに生成させる。
【０１０２】
これらのコンピュータプログラムコマンドは、コンピュータ又は他のプログラマブル信号処理機器が特定な携帯で作動するようにガイドすることができるコンピュータ読み取り可能なメモリに記憶されてもよく、当該コンピュータ読み取り可能なメモリに記憶されたコマンドにコマンド装置を含む製品を生成させ、当該コマンド装置は、フロー図の少なくとも１つのフローに指定された機能と、ブロック図の少なくとも１つのブロックに指定された機能と、フロー図の少なくとも１つのフロー及びブロック図の少なくとも１つのブロックに指定された機能とを実現する。
【０１０３】
これらのコンピュータプログラムコマンドは、コンピュータ又は他のプログラマブル信号処理機器に積載されてもよく、コンピュータ又は他のプログラマブル機器に一連の操作ステップを実行させることによりコンピュータが実現する処理を生成し、コンピュータ又は他のプログラマブル機器に実行されたコマンドに、フロー図の少なくとも１つのフローに指定された機能を実現するためのステップと、ブロック図の少なくとも１つのブロックに指定された機能を実現するためのステップと、フロー図の少なくとも１つのフロー及びブロック図の少なくとも１つのブロックに指定された機能を実現するためのステップとを提供させる。
【図１】
2021502778.tif 000004
【図２】
2021502778.tif 000005
【図３】
2021502778.tif 000006
【図４】
2021502778.tif 000007
【図５】
2021502778.tif 000008
【図６】
2021502778.tif 000009
【図７】
2021502778.tif 000010
【図８】
2021502778.tif 000011
【図９】
2021502778.tif 000012
【図１０】
2021502778.tif 000013
【国際調査報告】
2021502778.tif 000014
2021502778.tif 000015
2021502778.tif 000016
2021502778.tif 000017
2021502778.tif 000018